(57)【要約】  ランプユニット２０を保持するホルダ４１と、ホルダ４１に重ねられたダクト部材４２と、ホルダ４１とダクト部材４２との間に形成された流路と、ホルダ４１に設けられた複数のポート群であって、各ポート群がランプユニット２０のリフレクタ２３の内側と流路とを連通させるポート８１〜８３を含むポート群と、ポート群ごとに設けられ、各ポート群に含まれるポート８１〜８３を選択的に開閉する板部材９０とを有し、複数のポート群は、ランプユニット２０の発光管２２の中心軸の周囲に配置され、板部材９０は自重により回動し、ポート群に含まれるポート８１〜８３の一部を開き、他の一部を閉じる。
2012124053.tif 000002
【特許請求の範囲】
【請求項１】
アーク放電によって光を発する発光管と、該発光管を取り囲むリフレタとを備えたランプユニットを有する光源装置であって、
前記リフレクタの開口部を塞ぐとともに、前記ランプユニットを保持するホルダと、
前記ホルダの前面に重ねられたダクト部材と、
前記ホルダの前面と前記ダクト部材の背面との間に形成され、冷却風が供給される流路と、
前記ホルダに設けられた複数のポート群であって、各ポート群が前記リフレクタの内側と前記流路とを連通させる２以上のポートを含むポート群と、
前記ポート群ごとに設けられ、各ポート群に含まれる前記２以上のポートを選択的に開閉する板部材と、を有し、
前記複数のポート群は、前記発光管の中心軸の周囲に、該中心軸を取り囲むように配置され、
前記板部材は、前記光源装置の姿勢変化に応じて自重により回動し、前記ポート群に含まれる前記２以上のポートの一部を開き、他の一部を閉じる、光源装置。
【請求項２】
前記板部材を支持する回転軸であって、前記発光管の中心軸と平行な回転軸を有し、
前記ポート群に含まれる前記２以上のポートには、前記回転軸の内側であって、該回転軸と前記中心軸との間に配置されたポートと、前記回転軸の外側に配置されたポートとが含まれる、請求項１に記載の光源装置。
【請求項３】
前記回転軸の内側に位置する第１ポートと、
前記回転軸の外側に位置する第２ポートおよび第３ポートと、を有し、
前記第１ポートは、前記中心軸の中心と前記回転軸の中心とを結ぶ直線の上に配置され、
前記第２ポートおよび前記第３のポートは、前記直線を対称軸として対称に配置されている、請求項２に記載の光源装置。
【請求項４】
前記ホルダの背面には、前記ポートから流入した冷却風を前記発光管に向けて案内する整流板が設けられている、請求項１乃至請求項３のいずれか一項に記載の光源装置。
【請求項５】
４つの前記ポート群を有し、それらポート群は、前記発光管の中心軸の周囲に等間隔で配置されている、請求項１乃至請求項４のいずれか一項に記載の光源装置。
【請求項６】
前記ホルダの前面に設けられたリング状の複数のリブを有し、
各リブの内側に、前記ポート群および前記板部材が配置されている、請求項１乃至請求項５のいずれか一項に記載の光源装置。
【請求項７】
前記ダクト部材の背面には、前記板部材の回動を案内するガイドリブが設けられている、請求項１乃至請求項６のいずれか一項に記載の光源装置。
【請求項８】
光源装置と、該光源装置から出射された光を変調する変調手段と、該変調手段によって変調された光を投写する投写レンズとを有する投写型表示装置であって、
前記光源装置は、請求項１乃至請求項７のいずれか一項に記載の光源装置であって、
前記光源装置が備える発光管の中心軸と、前記投写レンズの光軸とが直交している、投写型表示装置。
【請求項９】
送風装置と、
前記送風装置と前記光源装置の前記流路とを繋ぐ連結流路を有する、請求項８に記載の投写型表示装置。
【発明の詳細な説明】
【技術分野】
【０００１】
本発明は、光源に関するものであり、特に光源の冷却機構に関するものである。
【背景技術】
【０００２】
投写型表示装置の光源には、高圧水銀ランプ、メタルハライドランプ、キセノンランプなどの放電ランプが用いられている。これら放電ランプは、発光管内で発生するアーク放電によって光を放出する。発光管は、略球状の発光部（バルブ）と、一対の棒状の封止部と、対向する一対の電極とを有している。また、電極の後端は封止部によって保持され、先端はバルブ内に配置されている。さらに、封止部内には、電極の後端に接続された箔状の導電部材が封入されている。【０００３】
ここで、一対の電極の間においてアーク放電が発生すると、アーク（電弧）は、そのときの重力方向と逆方向に延びる。このため、バルブの重力方向上部の温度がバルブの同方向下部の温度よりも高くなる。したがって、バルブの上部および下部を均等に冷却しても、バルブ全体の温度を均一に保つことはできない。しかし、適切な発光状態を維持するためには、バルブ全体の温度をなるべく均一に保つことが重要である。なぜなら、バルブの温度が所定温度よりも高くなると白濁が発生し、放電ランプの寿命が短くなる。一方、バルブの温度が所定温度よりも低くなると、輝度低下やフリッカが発生したり、黒化が発生したりする。また、黒化が発生した場合にも放電ランプの寿命が短くなる。さらに、封止部と導電部材との接触部の温度が適温よりも高くなると、導電部材の酸化が促進され、発光管の破裂や点灯不良が発生することもある。【０００４】
ここで、投写型表示装置は様々な場所に様々な姿勢で設置される。例えば、投写型表示装置は、床やテーブルの上に設置されることがある（第１の設置状態）。また、投写型表示装置は、天井に吊り下げられることもある（第２の設置状態）。また、第１の設置状態では、投写型表示装置は、床などに対して平行に置かれるだけでなく、床などに対して垂直に置かれたり、斜めに傾けられて置かれたりすることもある。【０００５】
一方、第２の設置状態では、投写型表示装置は、天井に対して平行に吊り下げられるだけでなく、天井に対して垂直に吊り下げられたり、天井に対して傾けられた状態で吊り下げられたりすることもある。【０００６】
上記のように投写型表示装置の姿勢が変化すると、該装置に内蔵されている光源（放電ランプ）の姿勢も変化する。そして、放電ランプの姿勢が変化すると、放電ランプ（バルブ）上の高温部と低温部の位置も変化する。例えば、投写型表示装置が床に平行に置かれている場合と、天井に平行に吊り下げられている場合とでは、バルブ上の高温部と低温部の位置が１８０度異なる。また、投写型表示装置が床に平行に置かれている場合と、垂直に置かれている場合とでは、バルブ上の高温部と低温部の位置が９０度異なる。したがって、バルブ上の特定の一ヶ所のみを冷却してもバルブ全体の温度を均一に保つことはできない。【０００７】
そこで、特許文献１には、投写型表示装置が第１の設置状態にあるときのバルブの重力方向上部に冷却風を供給するための第１のダクトと、投写型表示装置が第２の設置状態にあるときのバルブの重力方向上部に冷却風を供給するための第２のダクトとを備えた光源装置が記載されている。かかる光源装置では、ファンと対向している第１のダクトおよび第２のダクトの入口に、自重によって往復移動する遮蔽部材がそれぞれ設けられている。投写型表示装置が第１の設置状態にあるときには、第１のダクトの入口が開かれ、第２のダクトの入口が遮蔽部材によって閉じられる。一方、投写型表示装置が第２の設置状態にあるときには、第２のダクトの入口が開かれ、第１のダクトの入口が遮蔽部材によって閉じられる。【０００８】
また、特許文献２には、発光管を取り囲むリフレクタの内側で冷却風が循環される光源装置が記載されている。
【先行技術文献】
【特許文献】
【０００９】
【特許文献１】特開２００５-２４７３５号公報
【特許文献２】特開２００８-５９９３０号公報
【発明の概要】
【発明が解決しようとする課題】
【００１０】
特許文献１に記載されている光源装置は、遮蔽部材が自重で往復移動することがない姿勢で投写型表示装置が設置された場合には機能しない。例えば、投写型表示装置が床に対して垂直に置かれたり、天井に対して垂直に吊り下げられたりした場合には、遮蔽部材は移動せず、ダクトの切り替えは行われない。また、特許文献１に記載されている光源装置は２本のダクトを必要とするので、装置の小型化が困難である。【００１１】
特許文献２に記載されている光源装置では、発光管全体が均等に冷却されるので、バルブの重力方向上部と同方向下部との間の温度差は解消されない。
【課題を解決するための手段】
【００１２】
本発明の光源装置は、アーク放電によって光を発する発光管と、該発光管を取り囲むリフレタとを備えたランプユニットを有する。さらに、本発明の光源装置は、前記リフレクタの開口部を塞ぐとともに、前記ランプユニットを保持するホルダと、前記ホルダの前面に重ねられたダクト部材と、前記ホルダの前面と前記ダクト部材の背面との間に形成され、冷却風が供給される流路と、前記ホルダに設けられた複数のポート群であって、各ポート群が前記リフレクタの内側と前記流路とを連通させる２以上のポートを含むポート群と、前記ポート群ごとに設けられ、各ポート群に含まれる前記２以上のポートを選択的に開閉する板部材とを有する。前記複数のポート群は、前記発光管の中心軸の周囲に、該中心軸を取り囲むように配置されている。前記板部材は、前記光源装置の姿勢変化に応じて自重により回動し、前記ポート群に含まれる前記２以上のポートの一部を開き、他の一部を閉じる。【００１３】
本発明の投写型表示装置は、上記本発明の光源装置を有する。
【発明の効果】
【００１４】
本発明によれば、光源装置または投写型表示装置の姿勢に拘わらず、発光管全体の温度がほぼ均一に保たれる。
【図面の簡単な説明】
【００１５】
【図１】投写型表示装置の外観斜視図である。
【図２】投写型表示装置の内部構造を示す斜視図である。
【図３Ａ】ランプユニットの斜視図である。
【図３Ｂ】ランプユニットの他の斜視図である。
【図４】ランプボックスおよび送風装置の斜視図である。
【図５Ａ】ランプボックスの斜視図である。
【図５Ｂ】ランプボックスの他の斜視図である。
【図６】ランプボックスの分解斜視図である。
【図７】板部材が省略された第１の領域およびその周辺の拡大図である。
【図８】板部材を含む第１の領域およびその周辺の拡大図である。
【図９】ダクト部材背面の斜視図である。
【図１０】ガイドリブおよびその周辺の断面図である。
【図１１】投写型表示装置の姿勢変化を示す側面図である。
【図１２】投写型表示装置の回転角が０度のときのポートの開閉状態を示す平面図である。
【図１３】投写型表示装置の回転角が０度のときのポートの開閉状態を示す断面図でる。
【図１４】投写型表示装置の回転角が４５度のときのポートの開閉状態を示す平面図である。
【図１５】投写型表示装置の回転角が４５度のときのポートの開閉状態を示す断面図である。
【図１６】投写型表示装置の回転角が４５度のときのポートの開閉状態を示す他の断面図である。
【図１７】投写型表示装置の回転角が９０度のときのポートの開閉状態を示す平面図である。
【図１８】写型表示装置の回転角が１３５度のときのポートの開閉状態を示す平面図である。
【図１９】投写型表示装置の回転角が１８０度のときのポートの開閉状態を示す平面図である。
【図２０】投写型表示装置の回転角が２２５度のときのポートの開閉状態を示す平面図である。
【図２１】投写型表示装置の回転角が２７０度のときのポートの開閉状態を示す平面図である。
【図２２】投写型表示装置の回転角が３１５度のときのポートの開閉状態を示す平面図である。
【発明を実施するための形態】
【００１６】
次に、本発明の第１の実施形態について図面を参照して説明する。図１は、本発明が適用された投写型表示装置１の外観斜視図である。図２は、投写型表示装置１の主要な内部構造を示す斜視図である。
【００１７】
図１に示すように、投写型表示装置１は、下カバー２および上カバー３からなる筺体４を有し、筺体４の前面には投写レンズ５が配置されている。
【００１８】
図２に示すように、投写型表示装置１には、ランプボックス１０と、光学エンジン１１と、送風装置１２とが内蔵されている。ランプボックス１０内には、図３Ａ、図３Ｂに示すランプユニット２０が収容されている。ランプユニット２０から出射された光は、光学エンジン１１を経由した後、投写レンズ５を介して出射される。光学エンジン１１内には複数の光学素子が設けられており、光学エンジン１１に入射した光は、それら光学素子を通過する過程で様々な光学処理を受ける。
【００１９】
図３Ａ、図３Ｂに示すように、ランプユニット２０は、リフレクタベース２１と、リフレクタベース２１に保持された発光管２２と、リフレクタベース２１から裾広がりに延びて発光管２２を取り囲むリフレクタ２３とを有する。発光管２２は、略球状の発光部（バルブ２４）と、バルブ２４から互いに逆向きに延びる棒状の封止部２５ａ、２５ｂと、対向する一対の電極（不図示）とを有する。各電極の後端は封止部２５ａ、２５ｂによってそれぞれ保持され、先端はバルブ２４内に配置されている。封止部２５ａ、２５ｂには、電極の後端に接続された箔状の導電部材（不図示）が封入されている。発光管２２（封止部２５ｂ）は、無機材料を主成分とする接着剤によってリフレクタベース２１に固定されている。
【００２０】
リフレクタ２３の反射面２３ａは楕円回転面である。発光管２２のバルブ２４は、反射面２３ａの回転対称軸上にある第１焦点に配置されている。反射面２３ａは、発光管２２から発せられた光を回転対称軸上にある第２焦点に集光させる。ここで、図２に示すランプボックス１０からの光の出射方向と投写レンズ５からの光の出射方向とは９０度異なっている。すなわち、発光管２２の中心軸と反射面２３ａの回転対称軸とは一致しており、反射面２３ａの回転対称軸と投写レンズ５の光軸とは直交している。
【００２１】
既に述べたように、発光管２２のバルブ２４内で発生するアークは、重力方向と逆方向に延びる。例えば、ランプユニット２０が図３Ａに示す姿勢にあるとき、アークは図３Ａの紙面上方に向かって延びる。よって、バルブ２４の重力方向上部の温度は、同方向下部に比べて高くなる。以下の説明では、バルブ２４の重力方向上部を「バルブ上部」、バルブ２４の重力方向下部を「バルブ下部」と呼ぶ。換言すれば、バルブ２４の鉛直方向上部を「バルブ上部」、バルブ２４の鉛直方向下部を「バルブ下部」と呼ぶ。但し、バルブ２４の、バルブ上部に相当する部分とバルブ下部に相当する部分は、ランプユニット２０（投写型表示装置１）の姿勢に応じて変化する。例えば、ある姿勢のときにバルブ上部であった部分は、他の姿勢のときにバルブ下部になる。また、ある姿勢のときにバルブ上部であった部分は、他の姿勢のときにはバルブ上部でもバルブ下部でもなくなる。
【００２２】
図４は、ランプボックス１０および送風装置１２の斜視図である。本実施形態における送風装置１２はシロッコファンである。もっとも、送風装置１２はシロッコファンに限らず、例えば軸流ファンでもよい。シロッコファン１２は、箱型の構造体３０によって保持されている。シロッコファン１２から送り出された冷却風は、構造体３０の内部に形成されている流路（不図示）および構造体３０とランプボックス１０とを繋いでいる連結流路３１を通ってランプボックス１０に流入する。ランプボックス１０に流入した冷却風は、主に発光管２２（図３Ａ、図３Ｂ）を冷却する。
【００２３】
図５Ａ、図５Ｂは、ランプボックス１０の斜視図である。図６は、ランプボックス１０の分解斜視図である。ランプボックス１０は、ランプユニット２０が収容された略直方体形状の本体４０と、本体４０の開口部４０ａに被せられたホルダ４１と、ホルダ４１に被せられたダクト部材４２とを有する。なお、本体４０の対向する側壁には、第２の開口部４０ｂ、第３の開口部４０ｃがそれぞれ設けられている。第２の開口部４０ｂには、第２の送風装置１３（図２）が設けられている。第２の送風装置１３から送り出された冷却風は、主にリフレタ２３を冷却し、第３の開口部４０ｃから流出する。
【００２４】
リフレクタ２３から延びているフランジ２６は、ホルダ４１の背面に当接している。換言すれば、ランプユニット２０のリフレクタ２３の開口部２７は、ホルダ４１によって塞がれている。もっとも、ホルダ４１の中央には、ランプユニット２０から発せられた光を取り出すための円形の窓４３が形成されており、該窓４３には防爆ガラス４４が嵌め込まれている。
【００２５】
さらに、ホルダ４１の前面には、４つの略リング状のリブ５１、５２、５３、５４が、窓４３を取り囲むように形成されている。具体的には、リブ５１〜５４は、窓４３の中心を中心とする円弧の上に等間隔（９０度間隔）で配置されている。以下の説明では、リブ５１によって囲まれた円形の領域を第１の領域６１と呼ぶ。以下同様に、リブ５２によって囲まれた円形の領域を第２の領域６２、リブ５３によって囲まれた円形の領域を第３の領域６３、リブ５４によって囲まれた円形の領域を第４の領域６４と呼ぶ。領域６１〜６４が窓４３の中心を中心とする円弧の上に等間隔（９０度間隔）で配置されていることは自明である。
【００２６】
ダクト部材４２は、上記構造を有するホルダ４１の前面に被せられている（重ねられている）。ダクト部材４２は、ホルダ４１の窓４３を露出させるための円形開口部を備えたドーナツ形の流路形成部７０と、流路形成部７０から延びるフランジ部７１とを有する。フランジ部７１には、ホルダ４１の四隅に設けられている貫通孔と連通する貫通孔が形成されている。ホルダ４１およびダクト部材４２は、連通した貫通孔に挿入されたネジ（不図示）によって本体４０の開口部４０ａの縁に固定されている。
【００２７】
上記のようにして重ねられたホルダ４１とダクト部材４２（流路形成部７０）との間には環状の流路７５（図１０）が形成されている。また、ダクト部材４２の一辺には、環状流路７５に連通する開口部７２が設けられている。よって、図５Ａに示すように、ダクト部材４２およびホルダ４１が本体４０に固定されると、本体４０の開口部４０ａの一辺に、環状流路７２に連通する入口７３が形成される。一方、本体４０の開口部４０ａの三辺には、それぞれ切り欠きが形成されている。よって、ダクト部材４２およびホルダ４１が本体４０に固定されると、本体４０の開口部４０ａの三辺に、本体４０の内部空間に連通する出口７４がそれぞれ形成される。
【００２８】
ここで、ホルダ４１上の領域６１〜６４は、ホルダ４１とダクト部材４２との間に形成された環状流路７５内に位置しており、各領域には、複数のポートとそれらポートを選択的に開閉する板部材が設けられている。よって、図５Ａに示す入口７３から環状流路７５に流入した冷却風は、開かれているポートを介して本体４１の内部に流入し、発光管２２を冷却する。その後、冷却風は、図５Ａ、図５Ｂに示す出口７４を介して本体４０（ランプボックス１０）の外に流出する。なお、図４に示す連結流路３１が入口７４に接続されており、シロッコファン１２から送り出された風が冷却風として環状流路７５に流入する。
【００２９】
以下、ホルダ４１の領域６１〜６４にそれぞれ設けられているポートおよび板部材について詳細に説明する。もっとも、各領域におけるポートおよび板部材の形状、構造、配置などは互いに共通である。そこで、図６に示す第１の領域６１に設けられているポートおよび板部材についてのみ説明する。
【００３０】
図７は、第１の領域６１およびその周辺を示す拡大図である。領域６１には、ランプユニット２０のリフレクタ２３の内側に連通する第１ポート８１、第２ポート８２および第３ポート８３を含むポート群が形成されている。第１ポート８１から流入した冷却風は、後に説明する整流板に案内されて、主に発光管２２の封止部２５ａに向かって流れる。一方、第２ポート８２および第３ポート８３から流入した冷却風は、整流板によって案内されて、主に発光管２２のバルブ２４に向かって流れる。そこで、以下の説明では、第１のポート８１を「封止部ポート８１」、第２のポート８２を「バルブポート８２」、第３のポート８３を「バルブポート８３」と呼ぶ。
【００３１】
図８に示すように、領域６１の表側には、該領域６１の略半分を覆うことが可能な半月形の板部材９０が設けられている。板部材９０は、領域６１の中心に設けられた回転軸９１であって、発光管２２の中心軸と平行な回転軸９１によって回動可能に保持されている。
【００３２】
図７に示すように、封止部ポート８１は、回転軸９１と発光管２２との間に設けられている。換言すれば、封止部ポート８１は、回転軸９１の内側に設けられている。一方、バルブポート８２、８３は、回転軸９１の外側に設けられている。さらに、封止部ポート８１は、回転軸９１の中心と発光管２２の中心とを結ぶ直線の上に配置されている。一方、バルブポート８２とバルブポート８３は、上記直線を対称軸として線対称に配置されている。
【００３３】
上記構造により、投写型表示装置１の姿勢に応じて板部材９０が自重で回動し、複数のポートが選択的に開閉される。ポートの選択的開閉については後に詳述する。
【００３４】
図９に示すように、ホルダ４１の前面と対向しているダクト部材４２の背面には、４つのガイドリブ７６が設けられている。各ガイドリブ７６の位置は、領域６１〜６４の位置に対応している。図１０に示すように、ガイドリブ７６の端面の一部は、回転軸９１の端面に当接し、板部材９０の抜けを防止している。また、ガイドリブ７６の端面の他の一部は、ホルダ４１の前面との間に所定の間隔を置いて対向し、板部材９０の回動を案内する。
【００３５】
次に、投写型表示装置１の姿勢変化に応じたポートの開閉状態について説明する。理解を容易にするため、投写型表示装置１の姿勢変化について図１１を参照して予め説明する。
【００３６】
投写型表示装置１は、図１１（ａ）に示す状態から反時計回りに３６０度公転させられる。図１１（ａ）に示す投写型表示装置１の回転角は０度、図１１（ｂ）に示す投写型表示装置１の回転角は４５度である。以下同様に、図１１（ｃ）に示す投写型表示装置１の回転角は９０度、図１１（ｄ）に示す投写型表示装置１の回転角は１３５度、図１１（ｅ）に投写型表示装置１の回転角は１８０度、図１１（ｆ）に示す投写型表示装置１の回転角は２２５度、図１１（ｇ）に示す投写型表示装置１の回転角は２７０度、図１１（ｈ）に示す投写型表示装置１の回転角は３１５度である。
【００３７】
図１２は、投写型表示装置１が図１１（ａ）に示す状態にあるときのポートの開閉状態示す平面図である。なお、図１２〜図２３中の矢印Ｇは重力方向を示している。
【００３８】
図１２に示すように、投写型表示装置１の回転角が０度のとき、第１の領域６１および第２の領域６２は、第３の領域６３および第４の領域６４よりも、重力方向に関して上方に位置する。そして、第１の領域６１では、封止部ポート８１およびバルブポート８３が板部材９０によって閉じられ、バルブポート８２のみが開かれる。第２の領域６２では、封止部ポート８１およびバルブポート８２が板部材９０によって閉じられ、バルブポート８３のみが開かれる。第３の領域６３および第４の領域６４では、バルブポート８２、８３が板部材９０によって閉じられ、封止部ポート８１のみが開かれる。
【００３９】
図１３に示すように、各領域６１〜６４の裏側に整流板８４が設けられている。より具体的には、封止部ポート８１と、バルブポート８２、８３との間に、バルブ２２に向かって下り傾斜の整流板８４が設けられている。したがって、第１の領域６１のバルブポート８２および第２の領域６２のバルブポート８３（図１２）から流入した冷却風は、整流板８４に案内されて、バルブ上部を重点的に供給される。
【００４０】
図１４は、投写型表示装置１が図１１（ｂ）に示す状態にあるときのポートの開閉状態を示す平面図である。図１４に示すように、投写型表示装置１の回転角が４５度のとき、４つの領域のうち、第１の領域６１が重力方向に関して最も高い位置にある。そして、第１の領域６１では、封止部ポート８１が板部材によって閉じられ、バルブポート８２、８３が開かれる。第２の領域６２では、封止部ポート８１およびバルブポート８２が板部材９０によって閉じられ、バルブポート８３のみが開かれる。第４の領域６４では、封止部ポート８１およびバルブポート８３が板部材９０によって閉じられ、バルブポート８２のみが開かれる。第３の領域６３では、バルブポート８２、８３が板部材９０によって閉じられ、封止部ポート８１のみが開かれる。したがって、図１５に示すように、第１の領域６１のバルブポート８２、８３（図１５にはバルブポート８２のみを図示）から流入した冷却風によってバルブ上部が重点的に冷却される。さらに、図１６に示すように、第２の領域６２のバルブポート８３および第４の領域のバルブポート８２から流入した冷却風によってバルブ上部の近傍が冷却される。
【００４１】
図１７は、投写型表示装置１が図１１（ｃ）に示す状態にあるときのポートの開閉状態を示す平面図である。図１７に示すように、投写型表示装置１の回転角が９０度のとき、第４の領域６４および第１の領域６１は、第２の領域６２および第３の領域６３よりも、重力方向に関して上方に位置する。そして、第４の領域６４では、封止部ポート８１およびバルブポート８３が板部材９０によって閉じられ、バルブポート８２のみが開かれる。また、第１の領域６１では、封止部ポート８１およびバルブポート８２が板部材９０によって閉じられ、バルブポート８３のみが開かれる。第２の領域６２および第３の領域６３では、バルブポート８２、８３が板部材９０によって閉じられ、封止部ポート８１のみが開かれる。したがって、第４の領域６４のバルブポート８２および第１の領域６１のバルブポート８３から流入した冷却風によってバルブ上部が重点的に冷却される。
【００４２】
図１８は、投写型表示装置１が図１１（ｄ）に示す状態にあるときのポートの開閉状態を示す平面図である。図１８に示すように、投写型表示装置１の回転角が１３５度のとき、４つの領域のうち、第４の領域６４が重力方向に関して最も高い位置にある。そして、第４の領域６４では、封止部ポート８１が板部材９０によって閉じられ、バルブポート８２、８３が開かれる。第１の領域６１では、封止部ポート８１およびバルブポート８２が板部材９０によって閉じられ、バルブポート８３のみが開かれる。第３の領域６３では、封止部ポート８１およびバルブポート８３が板部材９０によって閉じられ、バルブポート８２のみが開かれる。第２の領域６２では、バルブポート８２、８３が板部材９０によって閉じられ、封止部ポート８１のみが開かれる。したがって、第４の領域６４のバルブポート８２、８３から流入した冷却風によってバルブ上部が重点的に冷却される。さらに、第１の領域６１のバルブポート８３および第３の領域６３のバルブポート８２から流入した冷却風によってバルブ上部の近傍が冷却される。
【００４３】
図１９は、投写型表示装置１が図１１（ｅ）に示す状態にあるときのポートの開閉状態を示す平面図である。図１９に示すように、投写型表示装置１の回転角が１８０度のとき、第３の領域６３および第４の領域６４は、第１の領域６１および第２の領域６２よりも、重力方向に関して上方に位置する。そして、第３の領域６３では、封止部ポート８１およびバルブポート８３が板部材９０によって閉じられ、バルブポート８２のみが開かれる。第４の領域６４では、封止部ポート８１およびバルブポート８２が板部材９０によって閉じられ、バルブポート８３のみが開かれる。第１の領域６１および第２の領域６２では、バルブポート８２、８３が板部材９０によって閉じられ、封止部ポート８１のみが開かれる。したがって、第３の領域６３のバルブポート８２および第４の領域６３のバルブポート８３から流入した冷却風によってバルブ上部が重点的に冷却される。
【００４４】
図２０は、投写型表示装置が図１１（ｆ）に示す状態にあるときのポートの開閉状態を示す平面図である。図２０に示すように、投写型表示装置１の回転角が２２５度のとき、４つの領域のうち、第３の領域６３が重力方向に関して最も高い位置にある。そして、第３の領域６３では、封止部ポート８１が板部材９０によって閉じられ、バルブポート８２、８３が開かれる。第４の領域６４では、封止部ポート８１およびバルブポート８２が板部材９０によって閉じられ、バルブポート８３のみが開かれる。第２の領域６２では、封止部ポート８１およびバルブポート８３が板部材９０によって閉じられ、バルブポート８２のみが開かれる。第１の領域６１では、バルブポート８２、８３が板部材９０によって閉じられ、封止部ポート８１のみが開かれる。したがって、第３の領域６３のバルブポート８２、８３から流入した冷却風によってバルブ上部が重点的に冷却される。さらに、第４の領域６４のバルブポート８３および第２の領域６２のバルブポート８２から流入した冷却風によってバルブ上部の近傍が冷却される。
【００４５】
図２１は、投写型表示装置１が図１１（ｇ）に示す状態にあるときのポートの開閉状態を示す平面図である。図２１に示すように、投写型表示装置１の回転角が２７０度のとき、第２の領域６２および第３の領域６３は、第４の領域６４および第１の領域６１よりも、重力方向に関して上方に位置する。そして、第２の領域６２では、封止部ポート８１およびバルブポート８３が板部材９０によって閉じられ、バルブポート８２のみが開かれる。第３の領域６３では、封止部ポート８１およびバルブポート８２が板部材９０によって閉じられ、バルブポート８３のみが開かれる。第４の領域６４および第１の領域６１では、バルブポート８２、８３が板部材９０によって閉じられ、封止部ポート８１のみが開かれる。したがって、第２の領域６２のバルブポート８２および第３の領域６３のバルブポート８３から流入した冷却風によってバルブ上部が重点的に冷却される。
【００４６】
図２２は、投写型表示装置１が図１１（ｈ）に示す状態にあるときのポートの開閉状態を示す平面図である。図２２に示すように、投写型表示装置１の回転角が３１５度のとき、４つの領域のうち、第２の領域６２が重力方向に関して最も高い位置にある。そして、第２の領域６２では、封止部ポート８１が板部材９０によって閉じられ、バルブポート８２、８３が開かれる。第３の領域６３では、封止部ポート８１およびバルブポート８２が板部材９０によって閉じられ、バルブポート８３が開かれる。第１の領域６１では、封止部ポート８１およびバルブポート８３が板部材９０によって閉じられ、バルブポート８２のみが開かれる。第４の領域６４では、バルブポート８２、８３が板部材９０によって閉じられ、封止部ポート８１のみが開かれる。したがって、第２の領域６２のバルブポート８２、８３から流入した冷却風によってバルブ上部が重点的に冷却される。さらに、第３の領域６３のバルブポート８３および第１の領域６１のバルブポート８２から流入した冷却風によってバルブ上部の近傍が冷却される。
【００４７】
以上のように、投写型表示装置１が如何なる姿勢のときにも、バルブ上部が重点的に冷却され、バルブ全体の温度が均一に保たれる。
【図１】
2012124053.tif 000003
【図２】
2012124053.tif 000004
【図３Ａ】
2012124053.tif 000005
【図３Ｂ】
2012124053.tif 000006
【図４】
2012124053.tif 000007
【図５Ａ】
2012124053.tif 000008
【図５Ｂ】
2012124053.tif 000009
【図６】
2012124053.tif 000010
【図７】
2012124053.tif 000011
【図８】
2012124053.tif 000012
【図９】
2012124053.tif 000013
【図１０】
2012124053.tif 000014
【図１１】
2012124053.tif 000015
【図１２】
2012124053.tif 000016
【図１３】
2012124053.tif 000017
【図１４】
2012124053.tif 000018
【図１５】
2012124053.tif 000019
【図１６】
2012124053.tif 000020
【図１７】
2012124053.tif 000021
【図１８】
2012124053.tif 000022
【図１９】
2012124053.tif 000023
【図２０】
2012124053.tif 000024
【図２１】
2012124053.tif 000025
【図２２】
2012124053.tif 000026
【国際調査報告】
2012124053.tif 000027
2012124053.tif 000028
2012124053.tif 000029
2012124053.tif 000030